(57)【要約】      （修正有）【課題】カーペット本体とカーペットカバーとのズレを滑り止め部材を用いることなく簡素な構成で防止するカーペットカバー及びカーペットを提供する。【解決手段】四角形状を呈するカーペット本体の表面に配置され、四角形状を呈するカーペットカバー１０であって、カーペット本体の４隅の角部を包み込むように収容する収容部１１を裏面四隅に有する。収容部は、カーペットカバーの周縁のうち隣接する２つの固定辺１１ａと、２つの固定辺のカーペットカバーの角部１０ａから最も離れた端部と端部とを結ぶ非固定辺１１ｂとによって三角形状を呈するのが好ましい。【選択図】図２
0003193984.tif 000002
【実用新案登録請求の範囲】
【請求項１】
四角形状を呈するカーペット本体の表面に配置され、四角形状を呈するカーペットカバーであって、
前記カーペット本体の４隅の角部を包み込むように収容する収容部を裏面四隅に有する、
ことを特徴とするカーペットカバー。
【請求項２】
前記収容部は、前記カーペットカバーの周縁のうち隣接する２辺に固定された２つの固定辺と、前記２つの固定辺の前記カーペットカバーの前記角部とは最も離れた端部と端部とを結ぶ非固定辺とによって三角形状を呈することを特徴とする請求項１記載のカーペットカバー。
【請求項３】
前記収容部は、前記カーペット本体のうち収容する部分を視認可能な素材から形成されていることを特徴とする請求項１又は２記載のカーペットカバー。
【請求項４】
請求項１から３のいずれか１項記載のカーペットカバーと、
前記カーペット本体と、
を備えることを特徴とするカーペット。
【考案の詳細な説明】
【技術分野】
【０００１】
本考案は、カーペットカバー、及び、このカーペットカバーとカーペット本体とを備えるカーペットに関する。
【背景技術】
【０００２】
従来、カーペットは、大きさによっては、マット、ラグなどとも称される。また、カーペットにおいて、カーペット本体と、このカーペット本体の表面に配置されるカーペットカバーとを備えることで、直接的に人の足などに触れるカーペットカバーを洗濯可能としたものなどが知られている。
【０００３】
また、カーペット本体とカーペットカバーとの間に滑り止め部材が配置されたカーペットも知られている。
【考案の概要】
【考案が解決しようとする課題】
【０００４】
しかしながら、滑り止め部材は、磨耗したり、カーペット本体若しくはカーペットカバーの素材が限定されたり、又は、滑り止め機能が十分に発揮されなかったりすることがある。
【０００５】
本考案の目的は、カーペット本体とカーペットカバーとのズレを簡素な構成で防止することができるカーペットカバー及びカーペットを提供することである。
【課題を解決するための手段】
【０００６】
上記課題を解決するために、本考案のカーペットカバーは、四角形状を呈するカーペット本体の表面に配置され、四角形状を呈するカーペットカバーであって、上記カーペット本体の４隅の角部を包み込むように収容する収容部を裏面四隅に有する。
【０００７】
また、上記カーペットカバーにおいて、上記収容部は、上記カーペットカバーの周縁のうち隣接する２辺に固定された２つの固定辺と、上記２つの固定辺の上記カーペットカバーの上記角部とは最も離れた端部と端部とを結ぶ非固定辺とによって三角形状を呈してもよい。
【０００８】
また、上記カーペットカバーにおいて、上記収容部は、上記カーペット本体のうち収容する部分を視認可能な素材から形成されていてもよい。
上記課題を解決するために、本考案のカーペットは、上記カーペットカバーと、上記カーペット本体と、を備える。
【考案の効果】
【０００９】
本考案によれば、カーペット本体とカーペットカバーとのズレを簡素な構成で防止することができる。
【図面の簡単な説明】
【００１０】
【図１】本考案の一実施の形態に係るカーペットカバーを示す平面図である。
【図２】本考案の一実施の形態に係るカーペットカバーを示す底面図である。
【図３】図２のＡ部拡大図である。
【図４】本考案の一実施の形態におけるカーペット本体を示す平面図（底面図も同一形状）である。
【考案を実施するための形態】
【００１１】
以下、本考案の実施の形態に係るカーペットカバー及びカーペットについて、図面を参照しながら説明する。
図１及び図２は、本考案の一実施の形態に係るカーペットカバー１０を示す平面図及び底面図である。
【００１２】
図３は、図２のＡ部拡大図である。
図４は、本考案の一実施の形態におけるカーペット本体２０を示す平面図（底面図も同一形状）である。
【００１３】
図１及び図２に示すように、カーペットカバー１０は、四角形状の一例として、１辺が長さＬ１（１８５ｃｍ）の正方形状を呈する。カーペットカバー１０は、長方形状を呈していてもよい。なお、カーペットカバー１０の４隅の角部１０ａは、丸みを帯びているが、全体としては正方形状を呈するものといえる。
【００１４】
一例ではあるが、カーペットカバー１０の表地はポリエステルであり、裏地は不織布であり、内部の詰め物はウレタンフォームである。なお、カーペットカバー１０の表地には、模様（図１では複数の星型模様）が施されることがあるが、もちろん無地であってもよい。また、カーペットカバー１０は、洗濯可能であることが望ましい。カーペットカバー１０は、後述する図４に示すカーペット本体２０に対して着脱自在であるため、カーペットカバー１０のみを洗濯することで、洗濯が容易になる。また、カーペットカバー１０を用いることで、所望の柄のカーペットカバー１０を自由に選択したり、カーペット本体２０の厚さを自由に選択したりすることが可能となる。
【００１５】
図２に示すように、カーペットカバー１０の裏面４隅には、図４に示すカーペット本体２０の４隅の角部２０ａを包み込むように収容する収容部１１が設けられている。このように、４箇所に設けられた収容部１１は、カーペット本体２０の４隅の角部２０ａを包み込むように収容することで、カーペット本体２０を位置決め保持する。
【００１６】
図３に示すように、収容部１１は、カーペットカバー１０の周縁（後述する周縁部１２）のうち隣接する２辺に固定された２つの固定辺１１ａ，１１ａと、これら２つの固定辺１１ａ，１１ａの角部１０ａとは最も離れた端部と端部とを結ぶ非固定辺１１ｂとによって三角形状を呈する。
【００１７】
なお、固定辺１１ａ，１１ａの長さＬ２は、例えば２５ｃｍである。収容部１１は、後述する周縁部１２よりも内側において、周縁部１２に隣接して形成されるが、周縁部１２の一部を覆うように形成されていてもよい。また、収容部１１の２つの固定辺１１ａ，１１ａの間は、カーペットカバー１０の４隅の角部１０ａと同様に丸みを帯びているが、収容部１１は、全体としては三角形状を呈するものといえる。
【００１８】
収容部１１には、図３の矢印Ｄで示す方向に、非固定辺１１ｂからカーペット本体２０の角部２０ａが挿入される。なお、カーペットカバー１０とカーペット本体２０とをまとめてカーペットと称する。このカーペットは、例えば、カーペット本体２０の温度を調整可能な電気カーペットであってもよい。
【００１９】
収容部１１は、例えば、ＰＶＣ（polyvinyl chloride：ポリ塩化ビニル）からなるネットである。収容部１１は、ネット状であり、収容部１１の裏面は、カーペット本体２０の裏地（裏面）よりも摩擦係数が高い。そのため、収容部１１は、カーペット本体２０、ひいてはカーペットカバー１０を床面に対して滑りにくくすることができる。
【００２０】
また、収容部１１は、ネット状であるため、カーペット本体２０のうち収容する部分を視認可能である。このように、収容部１１は、カーペット本体２０のうち収容する部分を視認可能な素材から形成されていることが望ましい。なお、カーペット本体２０のうち収容する部分を視認可能とするためには、収容部１１は、ネット状のように隙間を有さなくとも、透明又は半透明な材料から形成されていてもよい。
【００２１】
図１及び図２に示すように、カーペットカバー１０には、周縁全周に亘って周縁部１２が設けられている。一例ではあるが、この周縁部１２は、図１に示す平面視又は図２に示す底面視の幅が１．５ｃｍのバイアステープである。
【００２２】
図４に示すように、カーペット本体２０は、四角形状の一例として、１辺が長さＬ３（１８３ｃｍ）の正方形状を呈する。この１辺の長さＬ３は、カーペットカバー１０の１辺の長さＬ１よりも短い（Ｌ３＜Ｌ１）。カーペット本体２０は、長方形状を呈していてもよい。なお、カーペット本体２０の４隅の角部２０ａは、カーペットカバー１０の４隅の角部１０ａと同様に丸みを帯びているが、全体としては正方形状を呈するものといえる。
【００２３】
ここで、カーペットカバー１０の１辺の長さＬ１が１８５ｃｍで、対向する２つの周縁部１２の幅が合計で３ｃｍである場合、周縁部１２を除く領域（４つの収容部１１が設けられた領域）の幅は１８２ｃｍとなり、カーペット本体２０の１辺の長さＬ３である１８３ｃｍよりも小さくなる。しかし、収容部１１は、可撓性を有するため、カーペット本体２０の角部２０ａがカーペットカバー１０の周縁部１２の裏面に位置するように、カーペット本体２０の角部２０ａを収容することができる。
【００２４】
一例ではあるが、カーペット本体２０の表地及び裏地は不織布であり、内部の詰め物はウレタンフォームである。カーペットカバー１０の裏地が上述のように不織布であり、摩擦係数が比較的高いため、カーペット本体２０の表地との間で摩擦が生じやすい。また、カーペット本体２０の裏地も不織布であり、摩擦係数が比較的高いため、床面との間で摩擦が生じやすい。
【００２５】
なお、カーペット本体２０にも、カーペットカバー１０の周縁部１１と同様に、例えば、平面視又は底面視の幅が１．５ｃｍのバイアステープである周縁部２１が周縁全周に亘って設けられている。
【００２６】
以上説明した本実施の形態では、カーペットカバー１０は、四角形状を呈し、同様に四角形状を呈するカーペット本体２０の表面に配置される。また、カーペットカバー１０は、カーペット本体２０の４隅の角部２０ａを包み込むように収容する収容部１１を裏面四隅に有する。よって、本実施の形態によれば、カーペット本体２０とカーペットカバー１０とのズレを簡素な構成で防止することができる。
【００２７】
また、本実施の形態では、カーペットカバー１０の収容部１１は、カーペットカバー１０の周縁のうち隣接する２辺に固定された２つの固定辺１１ａ，１１ａと、これら２つの固定辺１１ａ，１１ａの角部１０ａとは最も離れた端部と端部とを結ぶ非固定辺１１ｂとによって三角形状を呈する。そのため、カーペット本体２０とカーペットカバー１０とのズレを簡素な構成で確実に防止することができる。
【００２８】
また、本実施の形態では、カーペットカバー１０の収容部１１は、カーペット本体２０のうち収容する部分を視認可能な素材から形成されている。そのため、カーペット本体２０の角部２０ａが折れ曲がっていることなどをユーザが確認することができる。
【符号の説明】
【００２９】
１０      カーペットカバー
１０ａ      角部
１１      収容部
１１ａ      固定辺
１１ｂ      非固定辺
１２      周縁部
２０      カーペット本体
２０ａ      角部
２１      周縁部
【図１】
0003193984.tif 000003
【図２】
0003193984.tif 000004
【図３】
0003193984.tif 000005
【図４】
0003193984.tif 000006